(57)【要約】【課題】周囲の状況に応じた給湯運転を行うことができる給湯システムを提供する。【解決手段】カラン３３等から給湯設定温度の温水を出湯させる給湯機能や、浴槽Ｂへのお湯張りを自動的に行う自動お湯張り機能を兼ね備えた給湯器１０と、給湯器１０を操作する給湯器操作リモコン２０とを備えており、給湯器１０のコントローラ１１がホームセキュリティーシステム４０に通信可能に接続されている。給湯器１０は、予約時刻に浴槽Ｂへのお湯張りが完了するように、自動お湯張り動作を自動的に開始させるお湯張り予約機能を有しており、お湯張り開始時刻に、ホームセキュリティーシステム４０から取得した監視情報により、住人が未だ帰宅していないことが判明した場合は、住人が帰宅するまでの間は、浴槽Ｂへの自動お湯張り動作を行わず、住人が帰宅した時点で、浴槽Ｂへの自動お湯張り動作を開始するようになっている。【選択図】        図１
2004190911.tif 000002
【特許請求の範囲】
【請求項１】
給湯器の制御部がホームセキュリティーシステムに通信可能に接続されており、
前記給湯器の前記制御部が、前記ホームセキュリティーシステムから取得した監視情報に基づいて、給湯器の運転を制御するようになっていることを特徴とする給湯システム。
【請求項２】
前記給湯器は、浴槽へのお湯張りを自動的に行う自動お湯張り機能と、予約時刻に浴槽へのお湯張りが完了するように、自動お湯張り動作を自動的に開始させるお湯張り予約機能とを有しており、
前記給湯器の前記制御部は、前記ホームセキュリティーシステムから取得した監視情報に基づいて、住人が在宅であるか不在であるかを把握するようになっており、
お湯張り予約を行うことによって設定されたお湯張り開始時刻に住人が不在であるときは、在宅状態になるまで浴槽への自動お湯張りを行わず、在宅状態になった時点で、浴槽への自動お湯張りを開始するようになっている請求項１に記載の給湯システム。
【請求項３】
前記給湯器は、浴槽へのお湯張りを自動的に行った後、必要に応じて、追い焚きを実行することによって、浴槽内の湯温を風呂設定温度に保持する自動お湯張り動作を実行させる自動お湯張り機能と、予約時刻に浴槽へのお湯張りが完了するように、自動お湯張り動作を自動的に開始させるお湯張り予約機能とを有しており、
前記給湯器の前記制御部は、前記ホームセキュリティーシステムから取得した監視情報に基づいて、住人が在宅であるか不在であるかを把握するようになっており、
お湯張り予約がなされた状態で、予約時刻に住人が不在であるときは、その時点で、自動お湯張り動作を停止させるようになっている請求項１に記載の給湯システム。
【請求項４】
前記給湯器は、浴槽へのお湯張りを自動的に行った後、必要に応じて、追い焚きを実行することによって、浴槽内の湯温を風呂設定温度に保持する自動お湯張りモードを有しており、
前記給湯器の前記制御部は、前記ホームセキュリティーシステムから取得した監視情報に基づいて、住人が在宅であるか不在であるかを把握するようになっており、
前記給湯器の運転モードが自動お湯張りモードに設定されている場合において、在宅状態から不在状態に移行すると、不在状態に至った時点で自動お湯張りモードを強制的に解除するようになっている請求項１に記載の給湯システム。
【発明の詳細な説明】
【０００１】
【発明の属する技術分野】
この発明は、給湯器によって生成された温水を、シャワーやカラン等から出湯させたり、浴槽に注湯することによってお湯張りを行ったりすることができる給湯システムに関する。
【０００２】
【従来の技術】
この種の給湯システムとしては、例えば、図２に示すようなものがある。この給湯システム５０は、同図に示すように、給湯配管５３を通してカラン５４等から給湯設定温度の温水を出湯させる給湯機能と、浴槽Ｂへのお湯張りを自動的に行う自動お湯張り機能（自動注湯機能及び追焚機能）とを兼ね備えた風呂追焚機能付給湯器５１が使用されており、風呂追焚機能付給湯器５１を自動お湯張りモードに設定すると、風呂追焚機能付給湯器５１が、給水配管５２を介して供給される水道水を加熱することによって風呂設定温度の温水を生成し、この風呂設定温度の温水を、往き配管５５を通して浴槽Ｂに注湯することによって浴槽Ｂへのお湯張りを行った後、浴槽Ｂに貯留された温水を往き配管５５及び戻り配管５６を通して循環させながら適宜追い焚きを行うことによって、浴槽Ｂに貯留された温水を風呂設定温度に保持するようになっている。
【０００３】
また、この風呂追焚機能付給湯器５１は、予約時刻に浴槽Ｂへのお湯張りが完了するように、自動お湯張り動作を自動的に開始させるお湯張り予約機能を備えており、例えば、外出する際、その日の帰宅予定時刻に合わせてお湯張り予約を行っておくと、帰宅予定時刻以降に帰宅した場合は、浴槽Ｂへのお湯張りが既に完了しており、直ちに入浴することができるので、非常に便利である。
【０００４】
【特許文献１】
特開平７−２０８７９６号公報
【特許文献２】
特開２０００−２４０９９８号公報
【０００５】
【発明が解決しようとする課題】
しかしながら、外出した住人は、必ずしも、お湯張り予約を行ったときの帰宅予定時刻に帰宅することができるとは限らず、帰宅予定時刻より大幅に遅れて帰宅したような場合、この給湯システム５０では、上述したように、帰宅予定時刻には浴槽Ｂへのお湯張りが既に完了しており、帰宅予定時刻から実際の帰宅時刻までの間は、風呂追焚機能付給湯器５１が適宜追い焚きを行うことによって、浴槽Ｂに貯留されている温水が風呂設定温度に保持されることになる。
【０００６】
このように、帰宅予定時刻までに帰宅することができなかった場合は、実際に入浴することができない状態であるにも拘わらず、風呂追焚機能付給湯器５１が追い焚きを行うことによって、お湯張りが完了した浴槽Ｂ内の温水を風呂設定温度に保持し続けることになるので、エネルギーが無駄に消費されるといった問題がある。
【０００７】
また、風呂追焚機能付給湯器５１が自動お湯張りモードで運転を行っている状態において、風呂追焚機能付給湯器５１の運転スイッチをＯＦＦにすることなく、住人が外出してしまった場合も、同様に、入浴することができない状態であるにも拘わらず、風呂追焚機能付給湯器５１が、浴槽Ｂに貯留された温水を風呂設定温度に保持し続けることになるので、エネルギーが無駄に消費されるといった問題がある。
【０００８】
さらに、ガス漏れが発生している状態で、住人がこれに気づかずに給湯を行うと、風呂追焚機能付給湯器５１の点火動作により漏れたガスに引火するおそれがある。
【０００９】
そこで、この発明の課題は、上述した問題点に鑑み、周囲の状況に応じた給湯運転を行うことができる給湯システムを提供することにある。
【００１０】
【課題を解決するための手段及びその効果】
上記の課題を解決するため、請求項１にかかる発明は、給湯器の制御部がホームセキュリティーシステムに通信可能に接続されており、前記給湯器の前記制御部が、前記ホームセキュリティーシステムから取得した監視情報に基づいて、給湯器の運転を制御するようになっていることを特徴とする給湯システムを提供するものである。
【００１１】
以上のように、この給湯システムでは、ホームセキュリティーシステムから取得した監視情報に基づいて、給湯器の運転を制御するようになっているので、例えば、監視情報としてガス漏れ情報等を取得した場合は、給湯を行っても、バーナーが燃焼しないように、給湯器の運転動作を制限するようにしておくと、ガス爆発という最悪の事態を確実に阻止することができる。
【００１２】
また、請求項２にかかる発明の給湯システムのように、前記給湯器が、浴槽へのお湯張りを自動的に行う自動お湯張り機能と、予約時刻に浴槽へのお湯張りが完了するように、自動お湯張り動作を自動的に開始させるお湯張り予約機能とを有しており、前記給湯器の前記制御部は、前記ホームセキュリティーシステムから取得した監視情報に基づいて、住人が在宅であるか不在であるかを把握するようになっており、お湯張り予約を行うことによって設定されたお湯張り開始時刻に住人が不在であるときは、在宅状態になるまで浴槽への自動お湯張りを行わず、在宅状態になった時点で、浴槽への自動お湯張りを開始するようになっているものにあっては、住人がお湯張り開始時刻までに帰宅することができなかった場合、住人が帰宅するまでは、浴槽へのお湯張りが行われないので、従来の給湯システムのように、エネルギーが無駄に消費されることがなく、しかも、住人が帰宅した時点で直ちに浴槽へのお湯張りが開始されるので、お湯張り完了時刻が住人の帰宅時刻から大幅に遅れることがなく、住人の帰宅後、短時間のうちに入浴可能な状態となる。
【００１３】
また、請求項３にかかる発明の給湯システムのように、前記給湯器は、浴槽へのお湯張りを自動的に行った後、必要に応じて、追い焚きを実行することによって、浴槽内の湯温を風呂設定温度に保持する自動お湯張り動作を実行させる自動お湯張り機能と、予約時刻に浴槽へのお湯張りが完了するように、自動お湯張り動作を自動的に開始させるお湯張り予約機能とを有しており、前記給湯器の前記制御部は、前記ホームセキュリティーシステムから取得した監視情報に基づいて、住人が在宅であるか不在であるかを把握するようになっており、お湯張り予約がなされた状態で、予約時刻に住人が不在であるときは、その時点で、自動お湯張り動作を停止させるようになっているものにあっては、お湯張り開始時刻に住人が不在であっても、予約時刻までの間に住人が帰宅した場合は、予約時刻に浴槽へのお湯張りが完了することになり、帰宅した住人は、予定通り入浴することができると共に、予約時刻を過ぎても住人が帰宅していない場合は、予約時刻以降、浴槽に貯留された温水を風呂設定温度に保持するために、給湯器が追焚運転を行うことがないので、従来の給湯システムのように、エネルギーが無駄に消費されることもない。
【００１４】
また、請求項４にかかる発明の給湯システムのように、前記給湯器が、浴槽へのお湯張りを自動的に行った後、必要に応じて、追い焚きを実行することによって、浴槽内の湯温を風呂設定温度に保持する自動お湯張りモードを有しており、前記給湯器の前記制御部は、前記ホームセキュリティーシステムから取得した監視情報に基づいて、住人が在宅であるか不在であるかを把握するようになっており、前記給湯器の運転モードが自動お湯張りモードに設定されている場合において、在宅状態から不在状態に移行すると、不在状態に至った時点で自動お湯張りモードを強制的に解除するようになっているものにあっては、住人がいないときに、浴槽に貯留された温水を風呂設定温度に保持するために、給湯器が追焚運転を行うことがないので、従来の給湯システムのように、エネルギーが無駄に消費されることがない。
【００１５】
【発明の実施の形態】
以下、実施の形態について図面を参照して説明する。図１に示すように、この給湯システム１は、給湯配管３２を通してカラン３３等から給湯設定温度の温水を出湯させる給湯機能や、浴槽Ｂへのお湯張りを自動的に行う自動お湯張り機能を兼ね備えた風呂追焚機能付給湯器（以下、給湯器という。）１０と、この給湯器１０を操作するための操作手段として、浴室や台所等に設置される給湯器操作リモコン２０とを備えており、給湯器操作リモコン２０によって、給湯器１０を自動お湯張りモードに設定すると、給湯器１０が、給水配管３１を介して供給される水道水を加熱することによって風呂設定温度の温水を生成し、この風呂設定温度の温水を、往き配管３４を通して浴槽Ｂに注湯することによって浴槽Ｂへのお湯張りを行った後、浴槽Ｂに貯留された温水を往き配管３４及び戻り配管３５を通して循環させながら適宜追い焚きを行うことによって、浴槽Ｂに貯留された温水を風呂設定温度に保持するようになっている。
【００１６】
また、給湯器１０は、予約時刻に浴槽Ｂへのお湯張りが完了するように、予約時刻の少し前（２０分程度前）に自動お湯張り動作を自動的に開始させるお湯張り予約機能を有しており、お湯張り予約の設定は、給湯器操作リモコン２０によって行うことができるようになっている。
【００１７】
給湯器１０及び給湯器操作リモコン２０には、通信手段であるシリアルインターフェースを介して相互に通信可能なコントローラ１１、２１がそれぞれ搭載されており、これらのコントローラ１１、２１が相互に連携をとりながら、給湯器１０の運転動作を制御している。
【００１８】
また、この給湯システム１が設置されている家屋には、種々のセンサ等によって検知される侵入者や火災発生、ガス漏れ発生といった監視情報が、家屋内に設置された通信端末操作装置４１から、公衆電話回線４２を介して、警備会社のコントロールセンタ４３に送信されるホームセキュリティーシステム４０が構築されており、このホームセキュリティーシステム４０では、住人全員が外出する場合に、通信端末操作装置４１の外出ボタン等を操作することで、住人不在モードに切り替わり、監視情報（住人不在情報）がコントロールセンタ４３に自動的に送信されるようになっている。
【００１９】
また、給湯器１０のコントローラ１１は、ホームセキュリティーシステム４０を構成している通信端末操作装置４１に通信可能に接続されており、コントローラ１１は、通信端末操作装置４１からガス漏れ発生情報や住人不在情報といった特定の監視情報を取得し、これらの監視情報に基づいて、給湯器１０の動作を制御するようになっている。
【００２０】
まず、外出した住人が帰宅したときに入浴することができるように、即ち、帰宅予定時刻に浴槽Ｂへのお湯張りが完了しているように、外出前にお湯張り予約を行っている場合において、お湯張り予約を行うことによって設定されたお湯張り開始時刻に、ホームセキュリティーシステム４０から取得した監視情報（住人不在情報）により、住人が未だ帰宅していないことが判明した場合は、住人が帰宅するまでの間は、浴槽Ｂへの自動お湯張り動作を行わず、住人が帰宅し、監視情報から在宅と判断された時点で、浴槽Ｂへの自動お湯張り動作を開始するようになっている。なお、お湯張り開始時刻以前に、住人が帰宅した場合は、お湯張り開始時刻に浴槽Ｂへの自動お湯張り動作が開始され、予約時刻（帰宅予定時刻）には、浴槽Ｂへのお湯張りが完了していることになる。
【００２１】
また、給湯器１０の運転モードが自動お湯張りモードに設定されている状態、即ち、給湯器１０が必要に応じて追い焚きを行うことによって、浴槽Ｂに貯留された温水が風呂設定温度に保持されている状態において、給湯器操作リモコン２０に設けられている給湯器１０の運転スイッチをＯＦＦすることなく、住人全員が外出してしまったような場合には、ホームセキュリティーシステム４０から取得した監視情報（住人不在情報）により、住人全員が不在になったことが判明した時点で、給湯器１０の自動お湯張りモードを強制的に解除するようになっている。なお、こういった自動お湯張りモードの強制解除動作は、お湯張り予約によって、給湯器１０が自動お湯張りモードに設定されている場合に限らず、住人が給湯器操作リモコン２０の「ふろ自動」ボタンを押すことによって自動お湯張りモードに設定した場合も、同様に実行される。
【００２２】
また、給湯器１０の運転スイッチがＯＮされた状態で、住人がカラン３３等を開けると、給湯器１０の水流スイッチがＯＮし、熱交換器を加熱するバーナーが燃焼を開始することになるが、ホームセキュリティーシステム４０から取得した監視情報（ガス漏れ発生情報）により、ガス漏れが発生していることが判明した場合は、バーナーが燃焼しないように、給湯器１０の運転動作が制限されると共に、その旨が給湯器操作リモコン２０によって報知されるようになっており、これによって、漏れたガスへの引火等を未然に防止することが可能となる。
【００２３】
以上のように、この給湯システム１では、住人が、お湯張り予約を行うことによって設定されたお湯張り開始時刻までに帰宅することができなかった場合、住人が帰宅するまでは、浴槽Ｂへのお湯張りが行われないので、従来の給湯システムのように、浴槽Ｂに貯留された温水を風呂設定温度に保持するために給湯器１０が行う追焚運転に要するエネルギーが無駄に消費されることがなく、しかも、住人が帰宅した時点で直ちに浴槽Ｂへのお湯張りが開始されるので、お湯張り完了時刻が住人の帰宅時刻から大幅に遅れることがなく、住人の帰宅後、短時間のうちに入浴可能な状態となる。
【００２４】
また、この給湯システム１では、上述したように、給湯器１０の運転モードが自動お湯張りモードに設定されている状態において、給湯器１０の運転スイッチをＯＦＦすることなく、住人全員が外出してしまったような場合、給湯器１０の自動お湯張りモードを強制的に解除するようになっているので、住人が外出した後は、給湯器１０が追焚運転を行うことがなく、従来の給湯システムのように、エネルギーが無駄に消費されることがない。
【００２５】
なお、上述した実施形態では、お湯張り予約を行っている場合において、お湯張り開始時刻に住人が帰宅していない場合は、住人が帰宅するまでの間、浴槽Ｂへのお湯張りを行わないようになっているが、これに限定されるものではなく、例えば、お湯張り開始時刻に住人が帰宅していなくても、浴槽Ｂへの自動お湯張り動作を開始し、帰宅予定時刻である予約時刻に住人が帰宅していない場合は、その時点で、自動お湯張りモードを強制的に解除することも可能であり、これによって、お湯張り開始時刻に住人が不在であっても、予約時刻までの間に住人が帰宅した場合は、予約時刻に浴槽へのお湯張りが完了することになり、帰宅した住人は、予定通り入浴することができると共に、予約時刻を過ぎても住人が帰宅していない場合は、予約時刻以降、浴槽に貯留された温水を風呂設定温度に保持するために、給湯器が追焚運転を行うことがないので、従来の給湯システムのように、エネルギーが無駄に消費されることもない。
【００２６】
さらに、予約時刻以降に住人が帰宅し、監視情報から在宅と判断された時点で、給湯器の運転モードを、再び、自動お湯張りモードに切り換えるようにしておくと、給湯器が追焚運転を自動的に開始することになるので、住人の帰宅後、短時間のうちに入浴可能な状態となる。
【００２７】
また、上述した実施形態では、給湯器１０の運転モードが自動お湯張りモードに設定されている状態において、給湯器１０の運転スイッチをＯＦＦすることなく、住人全員が外出してしまったような場合、給湯器１０の自動お湯張りモードを強制的に解除するようになっているが、これに限定されるものではなく、住人全員が外出したことが判明した時点で、給湯器１０の運転スイッチを強制的にＯＦＦするようにしてもよい。
【００２８】
また、上述した実施形態では、ホームセキュリティーシステム４０から取得される監視情報のうち、ガス漏れ発生情報及び住人不在情報を、給湯器１０の制御に使用しているが、これに限定されるものではなく、周囲の状況に応じた給湯運転を行うために、他の監視情報を使用することも可能である。
【００２９】
また、上述した実施形態では、給湯器１０によって温水を生成する給湯システム１について説明したが、これに限定されるものではなく、例えば、補助熱源としての太陽熱利用温水器と、主熱源としての給湯器とを組み合わせた給湯システムについて、本発明を適用することができることはいうまでもない。
【図面の簡単な説明】
【図１】この発明にかかる給湯システムの一実施形態を示す概略構成図である。
【図２】従来の給湯システムを示す概略構成図である。
【符号の説明】
１  給湯システム
１０  風呂追焚機能付給湯器
１１  コントローラ
２０  給湯器操作リモコン
２１  コントローラ
３１  給水配管
３２  給湯配管
３３  カラン
３４  往き配管
３５  戻り配管
４０  ホームセキュリティーシステム
４１  通信端末操作装置
４２  公衆電話回線
４３  コントロールセンタ
Ｂ  浴槽
【図１】
2004190911.tif 000003
【図２】
2004190911.tif 000004